(57)【特許請求の範囲】
【請求項１】
水が流入する流入口、前記流入口から流入した水が貯留する貯留部及び前記流入口から流入した水が流出する流出口を備え、前記貯留部に貯留する水を検知する水検知手段を備えた排水設備であって、
前記流入口としての第１流入口を備えた第１室と、
前記第１室と連通して構成されるとともに、前記第１室から流入するフロー水を受入れる第２室を設け、当該第２室に、室内に流入した水が流出する第２流出口を前記流出口として、流入水を貯留する第２貯留部を前記貯留部として備えるとともに、当該第２貯留部に貯留する水を検知する前記水検知手段を備え、
前記フロー水に関し、前記第１室から前記第２室に流入して直接前記第２流出口から流出する上限水流量として、所定の直接流出上限流量が設定され、
前記フロー水の流量が、前記直接流出上限流量以下である場合に、前記第２室から前記第２流出口を介してフロー水が外部に排出され、
前記フロー水の流量が前記直接流出上限流量を超える場合に、前記第２貯留部に前記フロー水が貯留され、前記水検知手段が前記第２貯留部に貯留する水を検知する排水設備。
【請求項２】
前記第１流入口から流入する水を第２室に流入させる室間移流部を設け、
前記室間移流部における水移流方向で、前記第１室に近接する側に前記第２流出口が設けられ、離間する側に前記第２貯留部が設けられ、
前記フロー水の流量が前記直接流出上限流量を超える場合に、前記フロー水が前記第２流出口を越えて前記第２貯留部に流入し、貯留される請求項１記載の排水設備。
【請求項３】
前記第１室に、第１貯留部及び第１流出口を備え、
前記第１流出口が、前記第１貯留部からの水を流出するとともに、当該第１貯留部に流入する流入水流量が前記直接流出上限流量以下の流出制限流量を超える場合に前記第１貯留部に水が貯留される流量制限型流出口として構成される請求項１又は２記載の排水設備。
【請求項４】
前記第２貯留部から貯留水が前記第２流出口にオーバーフローする第２オーバーフロー部が設けられ、
当該第２オーバーフロー部が、前記第１室から水が前記第２室にオーバーフローする第１オーバーフロー部より低い位置に設けられている請求項１〜３の何れか一項記載の排水設備。
【請求項５】
前記第１流入口として複数の第１流入口を備え、異なる流入元からの水が個別に異なった第１流入口に流入する請求項１〜４の何れか一項記載の排水設備。
【請求項６】
前記水検知手段が水を検知する場合に、異常状態があると判定する異常状態判定手段を設けた請求項１〜５の何れか一項記載の排水設備。
【請求項７】
前記水検知手段が水を検知する場合に、異常状態があると判定する異常状態判定手段を設け、
前記異常状態に、前記第１流出口が閉塞し且つ前記第１流入口に前記直接流出上限流量を超える水が流入する流入元異常閉塞状態を含み、
当該異常状態に、前記第１流出口が閉塞し且つ前記第１流入口に前記直接流出上限流量以下の水が流入する流入元正常閉塞状態を含まない請求項３記載の排水設備。
【請求項８】
前記第２室に、前記第１流入口に流入する水とは異なる流入元から水が流入する第２流入口を備え、当該第２流入口から流入する水が前記第２貯留部に貯留され、当該第２貯留部からオーバーフローして前記第２流出口から流出する請求項１〜７の何れか一項記載の排水設備。
【請求項９】
熱源機から供給される熱により給水を加熱して湯を得るとともに、生成される湯を貯留する貯湯タンクを備え、前記貯湯タンクから払い出される湯を利用する貯湯式温水システムであって、
前記貯湯タンクから払い出される湯の循環路若しくは前記貯湯タンクに供給する給水の供給路又はそれらの両方に備えられる逃し弁から前記第１流入口に逃し水が流入する構成で、
前記直接流出上限流量が、正常状態にある前記逃し弁から流入する水流量以上、前記逃し弁に異常が発生し当該異常状態にある逃し弁から前記第１流入口に流入する場合に、前記第１室から前記第２室に流入することが想定される水流量未満に設定されている請求項１〜８の何れか一項記載の排水設備を備えた貯湯式温水システム。
【請求項１０】
熱源機から供給される熱により給水を加熱して湯を得るとともに、生成される湯を貯留する貯湯タンクを備え、前記貯湯タンクから払い出される湯を利用する貯湯式温水システムであって、
給水路より水の補給を受ける膨張タンクからの余剰水が前記第１流入口に流入する構成で、
前記直接流出上限流量が、正常状態にある前記膨張タンクから流入する水流量以上、前記膨張タンクに異常が発生し当該異常状態にある膨張タンクから前記第１流入口に流入する場合に、前記第１室から前記第２室に流入することが想定される水流量未満に設定されている請求項１〜８の何れか一項記載の排水設備を備えた貯湯式温水システム。
【請求項１１】
前記第２室に、前記第１流入口に流入する水とは異なる流入元から水が流入する第２流入口を備え、
湯張り路に備えられる逆流防止弁から前記第２流入口に余剰水が流入する請求項９又は１０記載の貯湯式温水システム。
【請求項１２】
熱源機から供給される熱により給水を加熱して湯を得るとともに、生成される湯を貯留する貯湯タンクを備え、前記貯湯タンクから払い出される湯を利用する貯湯式温水システムであって、
湯張り路に備えられる逆流防止弁から前記第２流入口に余剰水が流入する請求項８記載の排水設備を備えた貯湯式温水システム。
【請求項１３】
熱源機から供給される熱により給水を加熱して湯を得るとともに、生成される湯を貯留する貯湯タンクを備え、前記貯湯タンクから払い出される湯を利用する貯湯式温水システムであって、
前記第１流入口として複数の第１流入口を有し、異なる流入元からの水が個別に異なった第１流入口に流入し、且つ前記第２室に、前記第１流入口に流入する水とは異なる流入元から水が流入する第２流入口を有する請求項１〜８の何れか一項記載の排水設備を備え、
前記貯湯タンクから払い出される湯の循環路若しくは前記貯湯タンクに供給する給水の供給路又はそれらの両方に備えられる逃し弁から前記第１流入口に逃し水が流入するとともに、前記逃し弁に繋がる前記第１流入口とは異なる前記第１流入口に、給水路より水の補給を受ける膨張タンクからの余剰水が流入し、さらに、湯張り路に備えられる逆流防止弁から前記第２流入口に余剰水が流入する貯湯式温水システム。
【発明の詳細な説明】
【技術分野】
【０００１】
本発明は、水が流入する流入口、流入口から流入した水が貯留する貯留部及び流入口から流入した水が流出する流出口を備え、貯留部に貯留する水を検知する水検知手段を備えた排水設備に関するとともに、その排水設備を備えた貯湯式温水システムに関する。
【背景技術】
【０００２】
貯湯式温水システムは、熱源機（ガスエンジン、燃料電池等）から供給される熱により給水を加熱して湯を得るシステムであり、生成される湯を貯留する貯湯タンクを備え、この貯湯タンクから湯を払い出して、給湯、暖房、浴槽水の追い焚き等の用に適宜利用する。
【０００３】
従って、このシステムには、熱源機から熱を回収する排熱回収用の循環回路が備えられるとともに、貯湯タンクから払い出される湯を給水と混合して供給する給湯回路、更には払い出される湯を熱源とする水の循環回路を備えている。
【０００４】
このような貯湯式温水システムの異常を排水の状態により検知する技術が特許文献１、特許文献２に開示されている。
【０００５】
特許文献１は、給湯装置やコージェネレーションシステムに備えられる熱交換器の破損を的確に判別可能な熱交換器破損検知装置を提案する。この文献１に開示の技術は、補給手段（本発明における膨張タンクに対応する）７０，８０を有し、熱媒体（本発明における水に対応する）が循環する一次循環回路Ｌ１，Ｌ２と、高圧力状態で熱媒体を流動させる二次流路Ｈとが熱交換器６１，６４を介して接続される構成において、補給手段７０，８０からオーバーフローする熱媒体を熱媒体回収部２１（本発明における貯留部に対応する）に導き、この回収部２１に溜まる熱媒体の量を検知することで、熱交換器６１，６４の異常を検知しようとする。
【０００６】
特許文献２も、膨張タンク３を備えた循環回路に様々な異常が発生した場合に、この異常を膨張タンク３から排水ホッパ９６に排出される熱媒体の量で検知する。この文献２に開示される膨張タンク３は、開口高さの異なった、第１のオーバーフロー配管部３６Ａ及び第２のオーバーフロー配管部３６Ｂを備え、第１のオーバーフロー配管部３６Ａからの排水が流入する排水ホッパ９６と、第２のオーバーフロー配管部３６Ｂからの排水が流入する排水用パレット９７とを備え、排水ホッパ９６にセンサ（本発明における水検知手段に対応する）９５を備えることで、比較的小流量のオーバーフローに対応するセンサが用いられていたとしても、特に不具合を生じることなくオーバーフローを検知する（段落〔００１０〕）。文献２では、排水設備はセンサ９５、排水ホッパ９６及び排水用パレット９７から構成される。
【０００７】
以上説明してきたように、これまでの貯湯式温水システムにおいても、そのシステムに備える排水設備を利用して、システムを構成する機器の異常を検出しようとする技術はあった。
【０００８】
従来の貯湯式温水システム９０の一構成例を、図１０に示した。
この貯湯式温水システム９０は、排水設備として、特許文献２に開示のものと同等な排水ホッパ９６、排水用パレット９７を備え、二つの膨張タンク１０からの水が排水ホッパ９６に、二つの逃し弁８、一つの逆流防止弁１４からの水が排水用パレット９７に流入するように構成されていた。従って、逃し弁８からの水は、排水用パレット９７を介してシステム外に直接排水されてきた。
【先行技術文献】
【特許文献】
【０００９】
【特許文献１】特開２００５−２４１１１９号公報
【特許文献２】特開２０１０−２７６２８１号公報
【発明の概要】
【発明が解決しようとする課題】
【００１０】
図１０に示す構成を採用する場合、以下の問題が発生する虞があることが判明した。
貯湯式温水システムでは、貯湯運転中に水の体積膨張等で貯湯タンク或は貯湯配管内の圧力が上昇するため、この圧力上昇で貯湯タンクや配管が破損することを防止する目的で安全弁として逃し弁８が備えられる。
【００１１】
そして正常に運転が継続される通常の貯湯運転状態では、湯水の膨張により逃し弁８内に備えられるダイヤフラムが押し上げられ、ポタポタと逃し弁８から湯滴が排出され、そのまま排水設備に流入する。一方、逃し弁８内のダイヤフラムに亀裂が生じると、給水圧で水がそのまま逃し弁８を介して排水され、給水の垂れ流しが続く。
しかしながら、図１０に示した従来の排水設備では、逃し弁８からの水は排水用パレット９７を経由してそのまま外部に排水される。従って、逃し弁８の損傷に起因する異常はエラー検出されることなく使用者に気づかれることがない。
【００１２】
このような逃し弁の損傷を加味した異常検知策としては、貯湯式温水システムにおいては、貯湯運転時に、逃し弁から「ポタポタ」と湯水が排水されるのが正常な通常動作であり、貯湯運転時以外は排水されることがない。これに対して、逃し弁に損傷が生じた場合は、貯湯運転に拘わらず連続して高温水以外の水も排水されるので、逃し弁の２次側の温度、流量を、別途機器を設けて測定すれば異常検知は可能となる。しかしながら、この解決策はコストがかかり、部品を配置するための余分なスペースが必要となるため採用し難い。
【００１３】
さらに、貯湯式温水システムの運転継続という観点からみると、排水設備以外のシステム部位（排水設備に対する流入元となる例えば逃し弁）に異常が発生していない状態ではシステムの運転をできるだけ継続し、流入元に異常が発生した場合に、当該異常の除去、排水設備のチェックといった所定のメンテナンスを行うほうが運転効率上好ましいが、このような目的に合致する排水設備は知られていない。
また、特許文献２に記載の排水ホッパを採用した場合、漏水センサ（特許文献２に記載のセンサ９５）が取付けられている排水ホッパ内部にホコリ等の堆積物による閉塞することがあるので、この閉塞を考慮した排水設備が求められている。
【００１４】
本発明の目的は、流入元が正常な場合に比較的少量の水しか流入せず、当該流入元に異常が発生した場合に比較的多量の水が流入することがある排水設備であって、流入元の正常状態、異常状態を検知して、真にメンテナンスが必要となる状態を知ることができる構成簡易な排水設備を得ることにある。
【課題を解決するための手段】
【００１５】
上記目的を達成するための本発明の第１特徴構成は、
水が流入する流入口、前記流入口から流入した水が貯留する貯留部及び前記流入口から流入した水が流出する流出口を備え、前記貯留部に貯留する水を検知する水検知手段を備えた排水設備であって、
前記流入口としての第１流入口を備えた第１室と、
前記第１室と連通して構成されるとともに、前記第１室から流入するフロー水を受入れる第２室を設け、当該第２室に、室内に流入した水が流出する第２流出口を前記流出口として、流入水を貯留する第２貯留部を前記貯留部として備えるとともに、当該第２貯留部に貯留する水を検知する前記水検知手段を備え、
前記フロー水に関し、前記第１室から前記第２室に流入して直接前記第２流出口から流出する上限水流量として、所定の直接流出上限流量が設定され、
前記フロー水の流量が、前記直接流出上限流量以下である場合に、前記第２室から前記第２流出口を介してフロー水が外部に排出され、
前記フロー水の流量が前記直接流出上限流量を超える場合に、前記第２貯留部に前記フロー水が貯留され、前記水検知手段が前記第２貯留部に貯留する水を検知する点にある。
以下の説明において、対象とする水の量に関してはすべて流量である。ただし、記載の複雑化を避けるため単に量と記載することがあるものとする。よって、上記「上限水流量」を「上限水量」と、「直接流出上限流量」を「直接流出上限量」と、「フロー水の流量」を「フロー水の量」と記載することがあるものとする。
【００１６】
本発明では「直接流出上限量」を設定する。
この「直接流出上限量」は第１室から第２室に流入し、第２貯留部にフロー水が貯留することなく、直接、第２流出口から流出される上限の水量である。
【００１７】
これまでも説明してきたように、本発明は流入元の異常状態を検知することを目的とするため、流入元が異常状態にある場合に排水設備に流入することがある水の量及び正常状態にある場合に流入することがある水の量を基準に「直接流出上限量」を設定する。
異常状態にある場合に流入する水の量を第１所定量、正常状態にある場合に流入することがある水の量の最大を僅かに超える量（この量は実質的に最大量に当たる）を第２所定量とすると、「直接流出上限量」は第１所定量未満で第２所定量以上の関係を満たす。
即ち、第１所定量＞直接流出上限量≧第２所定量となる。
【００１８】
第１所定量、第２所定量に関しては、後に段落〔０１１２〕〜〔０１２０〕において、「直接流出上限量」を第２所定量とする本実施形態に即して詳細に説明するが、以下に、その概略を説明しておく。
【００１９】
第１所定量は、流入元に異常が発生している場合に、第１室に第１流入口を介し流入することがある水量に基づいて設定される量であり、先に比較的多量と説明した水の量であり、その最低値等に基づいて設定される。
【００２０】
一方、第２所定量は、流入元が正常な状態にあり、第１室に第１流入口を介し流入することがある水量に基づいて設定する量であり、正常状態で第１流入口を介して第１室に流入することがある最大量を僅かに超える量として設定する。従って、この第２所定量は第１所定量より小さい。通常、第１所定量と第２所定量との差は大きく、第１所定量は第２所定量の倍を超える。
【００２１】
上記の本特徴構成によれば、第１流入口に繋がる流入元が正常な状態にあっては、第１流入口に比較的少量（直接流出上限量以下）の水が流入するが、流入水は第１室から第２室に流入し、第２流出口を介して流出される。
よって、水検知手段が水を検知することもない。さらに、排水設備に流入する水が不測に設備内に溜まって排水されないといった問題を起こすことはない。
【００２２】
一方、第１流入口に繋がる流入元が異常な状態にあっては、比較的多量の水が第２室に流入するが、このときフロー水の量が直接流出上限量を超えることとなり第２貯留部に貯留する。
結果、流入元から第１所定量の水が流入する異常状態では、第２貯留部に貯留する水が水検知手段で検知される。
【００２３】
本発明の構成では、流入元が正常状態にある場合、水は第２流出口を介して排水できるため、この状態を各別に検知してメンテナンスを行う必要はない。即ち、システムの運転を継続でき、システムに求められる所要の機能を果たせ、運用上効率的となる。
これに対して、流入元に異常が発生し、第１流入口に第１所定量以上の水が流入する場合、フロー水の量が直接流出上限量を超えるため、当然に第２貯留部に貯留する水を水検知手段で検知する。結果、流入元の異常状態を的確に検知して、システムの停止、メンテナンスを促す等の処理を行える。
また、この排水設備は二室、単一の水検知手段を備える構成となるため、構造が簡単となる。さらに、連通状態にある第１室、第２室は、第２流出口を介して外部に大きく開放する構成とできるため、流出口が塞がるという事態も発生し難く、第２流出口からの水の流出を確保でき、高温水が流入したとしても内部圧力が上昇するといった問題を発生することはない。
【００２４】
本発明の第２特徴構成は、
前記第１流入口から流入する水を第２室に流入させる室間移流部を設け、
前記室間移流部における水移流方向で、前記第１室に近接する側に前記第２流出口が設けられ、離間する側に前記第２貯留部が設けられ、
前記フロー水の流量が前記直接流出上限流量を超える場合に、前記フロー水が前記第２流出口を越えて前記第２貯留部に流入し、貯留される点にある。
【００２５】
これまでも説明したように、本発明にあっては第１室から第２室に流入するフロー水に関し、そのフロー水が第２流出口から直接流出する状態と第２貯留部に貯留する状態とを、フロー水の量に応じて実現する必要が生じるが、室間移流部を流れる水の移流方向で第１室に近い側に第２流出口を離間側に第２貯留部を設けることで、この目的を比較的簡単な構成で実現できる。
【００２６】
本発明の第３特徴構成は、
前記第１室に、第１貯留部及び第１流出口を備え、
前記第１流出口が、前記第１貯留部からの水を流出するとともに、当該第１貯留部に流入する流入水流量が前記直接流出上限流量以下の流出制限流量を超える場合に前記第１貯留部に水が貯留される流量制限型流出口として構成される点にある。
先に説明したと同様に、上記「流入水流量」を「流入水量」と、「流出制限流量」を「流出制限量」と記載することがあるものとする。
【００２７】
この発明では「直接流出上限量」に加えて「流出制限量」を設定する。
ここで、「流出制限量」は流量制限型流出口として構成される第１流出口が流出させる上限の水量となる。
【００２８】
本発明において、この「流出制限量」は第２所定量に相当し、「直接流出上限量」は第１所定量未満で「流出制限量」以上の関係となる。
即ち、第１所定量＞直接流出上限量≧流出制限量＝第２所定量となる。
【００２９】
段落〔０１１２〕〜〔０１２０〕の説明は、「直接流出上限量」を「流出制限量」と同一とする本実施形態の説明である。
【００３０】
この発明で、流出制限量は第１流出口に備えるべき流量制限機能を規定する水の量であり、第１流出口が流出を許容する水量の上限量となる。従って、第１流出口に第１貯留部から流入しようとする水の量が流出制限量を超えると第１貯留部に水が貯留する。
ここで、このように第２流出口に加えて第１流出口を備える構造は、比較的少量の水量が頻繁に流入する場合に、例えば、第１流入口の直下に第１流出口を設けて、スムーズな流出状態を確保できる。
【００３１】
上記の本特徴構成によれば、第１流入口に繋がる流入元が正常な状態にあっては、第１流入口に比較的少量（流出制限量以下）の水が流入するが、流入水は第１貯留部、第１流出部を介してそのまま流出される。
不測に第１流出口が閉塞した場合、第１貯留部に水が貯留するが、流入元に異常が発生していない状態では流出制限量以下（直接流出上限量以下）の水が第２室に流入するだけとなるため、第２貯留部に貯留されることなく、そのまま第２流出口から流出する。よって、排水設備に流入する水が不測に設備内に溜まって排水されないといった問題を起こすことはない。当然、水検知手段が水を検知することもない。
【００３２】
一方、第１流入口に繋がる流入元が異常な状態にあっては、第１所定量の水が、第１貯留部から第１流出口に流入しようとするが、第１流出口が、最大で流出制限量の水しか流出させない流量制限型流出口として構成されているため、残部が第１貯留部に貯留される。そして、第１貯留部から第２室への流入を発生し、このフロー水の量が直接流出上限量を超えると第２貯留部に貯留する。先に説明したように、通常、流入元が異常状態にある場合に流入する水量に基づいて設定される第１所定量と流出制限量（第２所定量）との差は大きいため、第１流出口が閉塞していない場合にあっても第２貯留部への貯留が発生する。
【００３３】
流入元が異常状態であり第１流出口が閉塞している場合は、流入する水の量が直接流出上限量を超える第１所定量となるため、当然に第２貯留部への貯留が発生する。結果、流入元から第１所定量の水が流入する異常状態では、第２貯留部に貯留する水が水検知手段で検知される。
【００３４】
そして、流入元が正常状態にある場合、たとえ第１流出口が閉塞していたとしても排水設備に流入する水の量は流出制限量（第２所定量）以下となる（この状態を本発明では「流入元正常閉塞状態」と呼ぶ）が、水は第２流出口を介して排水できるため、この状態を各別に検知してメンテナンスを行う必要はない。即ち、第１流出口に発生している閉塞をそのままにしてシステムの運転を継続でき、システムに求められる所要の機能を果たせ、運用上効率的である。
これに対して、流入元に異常が発生し、第１流入口に第１所定量以上の水が流入する場合、第１流出口に閉塞が発生している（この状態を本発明では「流入元異常閉塞状態」と呼ぶ）いないに拘わらず異常とする必要が生じるが、この状態では、閉塞発生の有無に関係なくフロー水の量が直接流出上限量を超えるため、当然に第２貯留部に貯留する水を水検知手段で検知することができ、流入元の異常状態を的確に検知して、システムの停止、メンテナンスを促す等の処理を行える。
また、排水設備は二室、単一の水検知手段を備える構成となるため、構造が簡単であり、連通状態にある第１室、第２室は、第１流出口或は第２流出口を介して外部に開放されているために両方の流出口が塞がるという事態は発生し難く、例え第１流出口が閉塞したとしも第２流出口からの水の流出を確保でき、高温水が流入したとしても内部圧力が上昇するといった問題を発生することはない。
【００３５】
本発明の第４特徴構成は、
前記第２貯留部から貯留水が前記第２流出口にオーバーフローする第２オーバーフロー部が設けられ、
当該第２オーバーフロー部が、前記第１室から貯留水が前記第２室にオーバーフローする第１オーバーフロー部より低い位置に設けられている点にある。
【００３６】
本特徴構成によれば、第１室は第１オーバーフロー部を介して第２室に連通し、第２室に設けられる第２貯留部が第２オーバーフロー部を介して第２流出口に接続する構成となる。第１オーバーフロー部をオーバーフローするオーバーフロー水は、その水の量に従って、第２流出口に直接流入する場合（直接流出上限量以下）と、第２貯留部に貯留しさらに第２オーバーフロー部を介して第２流出口に流れる場合（直接流出上限量を超える（第１所定量を含む））に区分けする必要が生じるが、第２オーバーフロー部を第１オーバーフロー部より下方の位置とすることで、容易にこの区分け構造を実現できる。
【００３７】
本発明の第５特徴構成は、
前記第１流入口として複数の第１流入口を備え、異なる流入元からの水が個別に異なった第１流入口に流入する点にある。
【００３８】
本特徴構成によれば、これまで説明してきた、正常状態で比較的少量の水を第１流入口に流入させ、異常状態で当該正常状態での流量より多量の水を流入させることがある異なった複数の流入元の状態判定を行うことができる。
【００３９】
本発明の第６特徴構成は、
前記水検知手段が水を検知する場合に、異常状態があると判定する異常状態判定手段を設けた点にある。
【００４０】
本特徴構成によれば、異常状態判定手段により、排水設備及びこの排水設備を備えるシステムにおいて真にメンテナンスが必要とされる状態を異常状態として的確に自動判定できる。
【００４１】
本発明の第３特徴構成である、前記第１室に、前記第１貯留部及び前記第１流出口を備える排水設備に係る本発明の第７特徴構成は、
前記水検知手段が水を検知する場合に、異常状態があると判定する異常状態判定手段を設け、
前記異常状態に、前記第１流出口が閉塞し且つ前記第１流入口に前記直接流出上限流量を超える水が流入する流入元異常閉塞状態を含み、
当該異常状態に、前記第１流出口が閉塞し且つ前記第１流入口に前記直接流出上限流量以下の水が流入する流入元正常閉塞状態を含まない点にある。
【００４２】
本発明の第８特徴構成は、
前記第２室に、前記第１流入口に流入する水とは異なる流入元から水が流入する第２流入口を備え、当該第２流入口から流入する水が前記第２貯留部に貯留され、当該第２貯留部からオーバーフローして前記第２流出口から流出する点にある。
【００４３】
本特徴構成によれば、第２流入口を備えることで、当該第２流入口に水を流入させる流入元の状態も、第１流入口を介して流入する流入元の異常を検知可能な水検知手段の検知出力から知ることができる。
【００４４】
以上が、本発明に係る排水設備の説明である。
【００４５】
以下、本発明に係る排水設備を備えた貯湯式温水システムに関して説明する。
本発明の第９特徴構成は、
熱源機から供給される熱により給水を加熱して湯を得るとともに、生成される湯を貯留する貯湯タンクを備え、前記貯湯タンクから払い出される湯を利用する貯湯式温水システムであって、
前記貯湯タンクから払い出される湯の循環路若しくは前記貯湯タンクに供給する給水の供給路又はそれらの両方に備えられる逃し弁から前記第１流入口に逃し水が流入する構成で、
前記直接流出上限流量が、正常状態にある前記逃し弁から流入する水流量以上、前記逃し弁に異常が発生し当該異常状態にある逃し弁から前記第１流入口に流入する場合に、前記第１室から前記第２室に流入することが想定される水流量未満に設定されている点にある。
先に説明したと同様に、上記「逃し弁から流入する水流量」を「逃し弁から流入する水量」と記載することがあるものとする。
【００４６】
本特徴構成によれば、貯湯式温水システムに備えられる湯の循環路若しくは給水の供給路に備える逃し弁の正常、異常を良好に、本発明に係る排水設備の水検知手段の出力から判定できる。
【００４７】
ここで、当該異常状態にある逃し弁から前記第１流入口に流入する場合に、第１室から第２室に流入することが想定される水量は、具体的には、図１に示す第１流出口を備える構成の場合は、第１所定量から第２所定量を除いた量となり、図８に示す第１流出口を備えない場合は、第１所定量となる。
【００４８】
対応する前記流出制限量に関して述べると、この流出制限量は、前記逃し弁に異常が発生し当該異常状態にある逃し弁から前記第１流入口に流入することが想定される水量の半分未満且つ正常状態にある当該逃し弁から流入する水量以上に設定されていることとなる。ここで、第２貯留部に水の貯留が発生し水検知手段で水の検知が行われる水量の下限は、第１流出口からの流出量が流出制限量（第２所定量）であり、直接流出上限量がその下限値である流出制限量に設定される場合となるため、流出制限量の倍を越えた量となる。
【００４９】
本発明の第１０特徴構成は、
熱源機から供給される熱により給水を加熱して湯を得るとともに、生成される湯を貯留する貯湯タンクを備え、前記貯湯タンクから払い出される湯を利用する貯湯式温水システムであって、
給水路より水の補給を受ける膨張タンクからの余剰水が前記第１流入口に流入する構成で、
前記直接流出上限流量が、正常状態にある前記膨張タンクから流入する水流量以上、前記膨張タンクに異常が発生し当該異常状態にある膨張タンクから前記第１流入口に流入する場合に、前記第１室から前記第２室に流入することが想定される水流量未満に設定されている点にある。
先に説明したと同様に、上記「膨張タンクから流入する水流量」を「膨張タンクから流入する水量」と記載することがあるものとする。
【００５０】
本特徴構成によれば、貯湯式温水システムに備えられる給水路より水の補給を受ける膨張タンク側の正常、異常を良好に、本発明に係る排水設備の水検知手段の出力から判定できる。このような膨張タンク側の異常としては、後にも示すように膨張タンクに備えられる補給水制御弁としての補給水電磁弁の開異常、膨張タンクを備えた循環路に備えられる熱交換器の異常等を挙げることができる。
【００５１】
ここで、当該異常状態にある膨張タンクから前記第１流入口に流入する場合に、第１室から第２室に流入することが想定される水量は、具体的には、図１に示す第１流出口を備える構成の場合は、第１所定量から第２所定量を除いた量となり、図８に示す第１流出口を備えない場合は、第１所定量となる。
対応する前記流出制限量は、前記膨張タンク側に異常が発生し異常状態にある膨張タンクから前記第１流入口に流入することが想定される水量の半分未満且つ正常状態にある当該膨張タンクから流入する水量以上となる。
【００５２】
本発明の第１１特徴構成は、先に説明した第９特徴構成又は第１０特徴構成を備えた貯湯式温水システムにおいて、
前記第２室に、前記第１流入口に流入する水とは異なる流入元から水が流入する第２流入口を備え、
湯張り路に備えられる逆流防止弁から前記第２流入口に余剰水が流入する点にある。
【００５３】
本特徴構成によれば、先に説明した第１流入口に流入する水とは異なる流入元がある場合に、その流入元となる湯張り路に備える逆流防止弁の正常、異常を良好に、本発明に係る排水設備の水検知手段の出力から判定できる。
【００５４】
本発明の第１２特徴構成は、
熱源機から供給される熱により給水を加熱して湯を得るとともに、生成される湯を貯留する貯湯タンクを備え、前記貯湯タンクから払い出される湯を利用する貯湯式温水システムであって、
湯張り路に備えられる逆流防止弁から前記第２流入口に余剰水が流入する点にある。
【００５５】
本特徴構成によれば、第２貯留部への水の貯留状態を水検知手段で検知することで、湯張り路に備えられる逆流防止弁の正常、異常を良好に、本発明に係る排水設備の水検知手段の出力から判定できる。
【００５６】
本発明の第１３特徴構成は、
熱源機から供給される熱により給水を加熱して湯を得るとともに、生成される湯を貯留する貯湯タンクを備え、前記貯湯タンクから払い出される湯を利用する貯湯式温水システムであって、
前記第１流入口として複数の第１流入口を有し、異なる流入元からの水が個別に異なった第１流入口に流入し、且つ前記第２室に、前記第１流入口に流入する水とは異なる流入元から水が流入する第２流入口を有する排水設備を備え、
前記貯湯タンクから払い出される湯の循環路若しくは前記貯湯タンクに供給する給水の供給路又はそれらの両方に備えられる逃し弁から前記第１流入口に逃し水が流入するとともに、前記逃し弁に繋がる前記第１流入口とは異なる前記第１流入口に、給水路より水の補給を受ける膨張タンクからの余剰水が流入し、さらに、湯張り路に備えられる逆流防止弁から前記第２流入口に余剰水が流入する点にある。
【００５７】
本特徴構成によって、貯湯式温水システムに備えられる逃し弁、膨張タンク側及び逆流防止弁全ての正常、異常を排水設備の水検知手段の出力から良好に判定できる。
【図面の簡単な説明】
【００５８】
【図１】本発明に係る排水設備の構成を示す断面図
【図２】本発明に係る排水設備における貯湯式温水システムに備えられる逃し弁からの排水状態を示す図
【図３】本発明に係る排水設備における貯湯式温水システムに備えられる膨張タンクからの排水状態を示す図
【図４】本発明に係る排水設備における貯湯式温水システムに備えられる逆流防止弁に異常が発生している異常状態での排水状態を示す図
【図５】本発明に係る排水設備を備えた貯湯式温水システムの構成を示す図
【図６】本発明に係る排水設備を備えた貯湯式温水システムの構成を示す図で、主に膨張タンクに対する給水の構成及び暖房・浴槽水追焚に係る構成を示す図
【図７】本発明に係る別実施形態の排水設備の構成を示す断面図
【図８】本発明に係る更なる別実施形態の排水設備の構成を示す断面図
【図９】図８に示す実施形態における図２に対応する排水状態を示す図
【図１０】従来の排水ホッパ及び排水用パレットを有する排水設備を備えた貯湯式温水システムの構成を示す図
【発明を実施するための形態】
【００５９】
以下、本発明に係る排水設備５０、この排水設備５０を備えた貯湯式温水システム１００に関して、図面に基づいて説明する。
先にも説明したように、この実施形態は流量制限型流出口とされる第１流出口Ｏ１を備え、その「流出制限量」が「直接流出上限量」と同一とされる例である。説明に際しては、理解を容易とするため、第１所定量、第２所定量（＝流出制限量）を使用して説明する。
【００６０】
〔排水設備〕
排水設備５０の構成を図１に示し、図２から図４に、この排水設備５０の排水状態をそれぞれ示した。排水設備５０の説明において、各流入口Ｅ１，Ｅ２に繋がる流入元Ｓに関しては、図５等を使用して適宜説明を加える。
【００６１】
図１に示すように、本発明に係る排水設備５０は第１室Ｒ１及び第２室Ｒ２を設けて構成されており、両室Ｒ１，Ｒ２は、本発明において第１オーバーフロー部ＯＦ１と呼ぶ、第１貯留部Ｓ１に貯留する水がオーバーフローする連通開口を介して連通接続されている。
【００６２】
第１室
同図からも判るように、第１室Ｒ１は、第１流入口Ｅ１（Ｅ１ｇ，Ｅ１ｄ）、第１貯留部Ｓ１及び第１流出口Ｏ１を備えて構成されている。
この例では、第１流入口Ｅ１として二つの第１流入口Ｅ１ｇ，Ｅ１ｄが備えられており、それぞれ異なった流入元Ｓから水が流入するように構成されている。図示する例では、図上右側に示す第１流入口Ｅ１ｄへの流入元Ｓが逃し弁８であり、図上左側に示される第１流入口Ｅ１ｇへの流入元Ｓが膨張タンク１０である。図５からも判明するように、本発明に係る貯湯式温水システム１００では、貯湯式温水システム１００に必要とされる機能上、それぞれ二つの逃し弁８，８からの逃げ水、膨張タンク１０，１０からの余剰水が第１流入口Ｅ１ｇ．Ｅ１ｄに流入する。
【００６３】
第１流入口Ｅ１の下部領域は、排水設備５０の外周壁５１及び第１室Ｒ１と第２室Ｒ２とを仕切る仕切り壁５２を構成する上昇壁部５２ｕに囲まれた第１貯留部Ｓ１とされている。この例では、仕切り壁５２は、排水設備カバー５９のほぼ中央から下垂する下垂壁部５２ｄと、第１流出口Ｏ１と第２流出口Ｏ２との間に設けられ下方から上昇する上昇壁部５２ｕとを備えて構成されている。上述の下垂壁部５２ｄの下端部位は第１室Ｒ１側に傾斜する構成が採用されている。この下端部位の傾斜構成を採用することにより、右側の第１流入口Ｅ１ｄから流入する水を確実に第１貯留部Ｓ１に導くことができる。
【００６４】
第１流入口Ｅ１ｇ，Ｅ１ｄから流入する水は、第１貯留部Ｓ１に流入する。図からも判明するように、第１貯留部Ｓ１は下側に向かってその断面積が小さくなる下側収束型の形状とされており、その下端が第１流出口Ｏ１に接続されている。
【００６５】
この排水設備５０では、第１貯留部Ｓ１に流入した水は、その量に応じて第１流出口Ｏ１から全量が流出したり、一部が流出し残部が第１貯留部Ｓ１に貯留する。
【００６６】
この構成に関して説明すると、第１流出口Ｏ１には下側に向かうに従って流路を絞る案内板５３が設けられている。この案内板５３を設けることにより、この第１流出口Ｏ１は、流量制限型流出口となる。即ち、第１流出口Ｏ１は、この流出口Ｏ１から流出する水量を第２所定量以下に制限する流出口とされており、第１流入口Ｅ１から第１貯留部Ｓ１に流入する流入水量が第２所定量を超える場合（具体的には、本発明に言う第１所定量以上が流入する場合）に、第２所定量を超える水を第１貯留部Ｓ１に貯留する流出口となっている。
【００６７】
案内板５３は詰まり難い傾斜形状を有し、この傾斜形状の案内板５３を設けることにより、発明者らが「ポタポタ流量」と呼ぶ第２所定量以下の水が液滴を形成して第１流出口Ｏ１に流入した場合にも、この量の水をスムーズに流下させ外部に流出することができるように構成されている。従って、例えば、図２（ａ）、図３（ａ）に示すように、第１流入口Ｅ１（Ｅ１ｇ，Ｅ１ｄ）、第１貯留部Ｓ１を介する水の流入が順次液滴を形成する状態となってもスムーズに外部に水を排出できる。
【００６８】
以上の構成により、第１室Ｒ１においては、第１流入口Ｅ１（Ｅ１ｇ，Ｅ１ｄ）から流入する水は、その量が第２所定量以下の場合、第１流出口Ｏ１から流出される。一方、第２所定量を超える場合（第１所定量の場合が含まれる）は、第１流出口Ｏ１の流量制限機能により第１貯留部Ｓ１に順次貯留され、液面が第１オーバーフロー部ＯＦ１に達した状態で第２室Ｒ２にオーバーフローして流入する。この水を本発明ではオーバーフロー水と呼んでいる。
【００６９】
また、図２（ｂ）に示すように、第１流出口Ｏ１が閉塞した場合は、第１貯留部Ｓ１に流入する水の量に拘わらず、水は第１貯留部Ｓ１に貯留され、水位が第１オーバーフロー部ＯＦ１を超えた状態で第２室Ｒ２にオーバーフローする。
【００７０】
以上が第１室Ｒ１に関する説明である。
【００７１】
第２室
図１に示すように、第２室Ｒ２も、第２流入口Ｅ２、第２貯留部Ｓ２及び第２流出口Ｏ２を備えて構成されており、第２貯留部Ｓ２に貯まる水を検出する水検知手段ｓが備えられている。
但し、第２貯留部Ｓ２と第２流出口Ｏ２との接続関係が、第１室Ｒ１の構成とは異なる。
【００７２】
この例では第２流入口Ｅ２として一つの流入口が備えられているのみであり、先に説明した第１流入口Ｅ１（Ｅ１ｇ，Ｅ１ｄ）に繋がる流入元Ｓとは異なる流入元Ｓから水が流入する。図５からも判明するように、この第２流入口Ｅ２には流入元Ｓとしての逆流防止弁１４から水が流入する。
【００７３】
第２流入口Ｅ２の下部領域は、排水設備５０の外周壁５１及び第２流出口Ｏ２と第２貯留部Ｓ２とを仕切る仕切り壁５４とに囲まれた第２貯留部Ｓ２とされている。ここで、第２流出口Ｏ２と第２貯留部Ｓ２との間に設けられる仕切り壁５４は外周壁５１から第２オーバーフロー部ＯＦ２まで下方から上昇形成されており、第２貯留部Ｓ２は有底の椀状となっている。従って、第２流入口Ｅ２から流入する水は、第２貯留部Ｓ２に一旦落下流入し第２貯留部Ｓ２が満杯になった状態で、第２オーバーフロー部ＯＦ２から第２流出口Ｏ２にオーバーフローして流入する。
【００７４】
ここで第２オーバーフロー部ＯＦ２の上下方向位置は、先に説明した第１オーバーフロー部ＯＦ１の位置に対して低い側の位置とされている。第２貯留部Ｓ２に貯留した水は水検知手段ｓに検知される。
【００７５】
さらに図１からも判明するように、第１オーバーフロー部ＯＦ１と第２オーバーフロー部ＯＦ２との間には、第２流出口Ｏ２の入口部位が形成されており、この部位から水が第２流出口Ｏ２に流入する構造が採用されている。また第２オーバーフロー部ＯＦ２には、第２貯留部Ｓ２側に傾いた上昇壁部５４ａが設けられている。第１オーバーフロー部ＯＦ１をオーバーフローする第２所定量以下の水は、図２（ｂ）に示すように、案内板５５を伝って上昇壁部５４ａの上面に落下し、第２流出口Ｏ２側に導かれる。
【００７６】
この構成において、第２室Ｒ２に流入する水は、第１室Ｒ１から第１オーバーフロー部ＯＦ１を越えて流入する水と、第２流入口Ｅ２から流入する水となる。そして、後者の第２流入口Ｅ２から流入する水は、先に説明した第２室Ｒ２の構成からも明らかなように、第２貯留部Ｓ２に一旦貯まり、この第２貯留部Ｓ２から第２オーバーフロー部ＯＦ２を越えて第２流出口Ｏ２に流入する。この状態における水の貯留は、水検知手段ｓにより検知される。
【００７７】
一方、第１オーバーフロー部ＯＦ１を越えて、第１室Ｒ１から第２室Ｒ２に流入する水に関しては、第２室Ｒ２における第２流出口Ｏ２と第２貯留部Ｓ２の位置関係及び当該第１オーバーフロー部ＯＦ１を越えるオーバーフロー水の量によって、第２貯留部Ｓ２への流入形態が異なるように構成されている。
【００７８】
図１、図２からも判明するように、第１オーバーフロー部ＯＦ１には、仕切り壁５２を構成する上昇壁部５２ｕの先端には、その先端から第２オーバーフロー部ＯＦ２に向けて下方傾斜ながら張り出す案内板５５が設けられており、図２（ｃ）に示すように、第１流入口Ｅ１（Ｅ１ｇ，Ｅ１ｈ）から流入する水の量が第１所定量以上（この第１所定量は第２所定量に対してその倍を超える量となる）である場合に、オーバーフロー水が第２貯留部Ｓ２に流入し、当該部位Ｓ２に貯留するように構成されている。これに対して、第１オーバーフロー部ＯＦ１を越えるオーバーフロー水の量が第２所定量以下の場合に、図２（ｂ）に示すように、水が液滴を形成して案内板５５、上昇壁部５４ａ上を流下し、第２貯留部Ｓ２に流入することはなく（換言すると第２貯留部Ｓ２に貯留されることはなく）、第２室Ｒ２から直接第２流出口Ｏ２を介して外部に排出される構成が採用されている。オーバーフロー水の量が第２所定量を超える場合には第２貯留部Ｓ２に貯留する。
【００７９】
以上の構成により、第２室Ｒ２においては、第１オーバーフロー部ＯＦ１を介して第２室Ｒ２に流入するオーバーフロー水は、その量に従って、第２流出口Ｏ２から直接流出したり、第２貯留部Ｓ２に流入・貯留され、水検知手段ｓにより検知されることとなる。
一方、第２流入口Ｅ２から流入する水は、その量に拘わらず、第２貯留部Ｓ２に順次貯留され、貯留液面が第２オーバーフロー部ＯＦ２に達した状態で第２流出口Ｏ２から流出する。このような経過で第２貯留部Ｓ２に水が貯留されると、この貯留状態が水検知手段ｓにより検知される。
以上が第２室Ｒ２に関する説明である。
【００８０】
従って、この排水設備は、第１流入口Ｅ１から流入するオーバーフロー水（フロー水の一例）を第２室Ｒ２に流入させる第１オーバーフロー部ＯＦ１（室間移流部の一例）を設け、この第１オーバーフロー部ＯＦ１における水移流方向で、第１室Ｒ１に近接する側に第２流出口Ｏ２が設けられ、離間する側に第２貯留部Ｓ２が設けられ、フロー水の量が「直接流出上限量」を超える場合に、フロー水が、第２流出口Ｏ２を越えて第２貯留部Ｓ２に流入し、貯留される構成となっている。
【００８１】
以上が、第１室Ｒ１、第２室Ｒ２を備えた本発明に係る排水設備５０の説明であるが、以下、上記の構成を採用することにより、水検知手段ｓの検知情報に従って、この排水設備５０に流入する水の流入元Ｓがどのような状態にあるかの判定に関して説明する。
ここで、水検知手段ｓによる水検知は「水を検知するＯＮ」「水を検知しないＯＦＦ」の択一検知である。
【００８２】
判定器
図１には、このような判定を自動的に実行し判定結果を出力可能な判定器Ｊ（判定・出力用ソフトを収納した判定用コンピュータ）を備えた構成を示している。
この判定器Ｊには、正常状態判定手段ｍ１及び異常状態判定手段ｍ２が備えられている。
【００８３】
以下、各判定手段ｍ１，ｍ２の判定条件及び判定について具体的に説明するが、この判定を行うに関する排水状態を図２、図３、図４にそれぞれ示した。
また、これら排水状態（１〜８）に対応して各室の状態及び水検知手段ｓの検知状態を表１に示した。同表には、各状態の発生要因、第１、第２流出口Ｏ１，Ｏ２の状態、第１、第２貯留部Ｓ１，Ｓ２の状態（貯留なしが「×」、貯留ありが「○」）で示し、さらに水検知手段ｓの状態（水検知出力なしが「ＯＦＦ」、水検知出力ありが「ＯＮ」）及び、システム運転判定（システム運転継続可を「運転継続」で、システム運転継続不可を「メンテ要」で）を示した。ここでシステム運転継続不可の場合は、少なくともシステム側に異常が発生しており、第１流出口Ｏ１に閉塞が発生している可能性もある。従って、システム側のチェックを行うとともに、第１流出口Ｏ１に閉塞がある場合はその除去を行う。
【００８４】
【表１】
0006640588.tif 000002
【００８５】
以下、各図を使用して排水状態それぞれについて説明する。
これらの図で、ｑは各流出口Ｏ１，Ｏ２から流出する水の量を示し、ｑ１は第１所定量を、ｑ２は第２所定量を示す。さらに、Ｑ１ｉｎ，Ｑ２ｉｎで比較的多量となる第１流入口Ｅ１、第２流入口Ｅ２から流入する水の量を示し、Ｑ１ｏｖ，Ｑ２ｏｕｔで同じく比較的多量となる第１オーバーフロー部ＯＦ１のオーバーフロー量、第２流出口Ｏ２から流出する水の量を示した。
【００８６】
図２（ａ）は、システムが正常状態にあり、右側の第１流入口Ｅ１ｄに繋がる逃し弁８から逃し水が流入する排水状態を示す図である。
先にも説明したように逃し弁８が正常に働く正常状態にあっては、排水設備５０に流入する流入水量は第２所定量ｑ２以下の水量（「ポタポタ水量」）となる。従って、この状態では、第１流入口Ｅ１ｄから流入する逃し水は液滴を形成する状態で、第１貯留部Ｓ１を介して第１流出口Ｏ１に流入するとともにそのまま流出し、第１貯留部Ｓ１に貯留することはない。この場合、当然に水検知手段ｓから水検知出力は得られない（表１の状態１）。
【００８７】
図２（ｂ）は、何らかの要因により第１流出口Ｏ１が閉塞した状態での排水状態を示している。この図でも逃し弁８は正常に働いていることにより、右側の第１流入口Ｅ１ｄに液滴として水が流入するが、第１流出口Ｏ１に異物５６により詰まった状態となっている。この状態では、逃し弁８からの逃し水が、第１オーバーフロー部ＯＦ１を越えて第２室Ｒ２に流入することとなるが、その水量ｑは第２所定量ｑ２以下の水量（「ポタポタ水量」）であることから、第２貯留部Ｓ２に貯留されることなく直接第２流出口Ｏ２に流入し、当該第２流出口Ｏ２から流出する。この様に閉塞は発生しているが、第２所定量ｑ２以下の水量しか流れ込まない状態では、水検知手段ｓから水検知出力は得られない（表１の状態２）。この状態は、逃し弁８（言い換えるとシステム側）には異常がなく、第２流出口Ｏ２から排水できるため、システム本来の機能（温水生成、給湯、暖房・浴槽水追焚き・湯張り）を発揮できる運転継続可能な状態である。
【００８８】
図２（ｃ）は、逃し弁８に異常が発生した異常状態での排水状態を示す図である。
逃し弁８に先に説明したようなダイヤフラム（図示省略）が破損する等の異常が発生すると、第１流入口Ｅ１ｄへ流入する水の量Ｑ１ｉｎが格段に増加する。この水の量Ｑ１ｉｎは予め設定されている第２所定量ｑ２を超えるため、同図に示すように第１流出口Ｏ１からの流出（第２所定量ｑ２）のみでは足りず、順次水が第１貯留部Ｓ１に貯留し、第１オーバーフロー部ＯＦ１を越えて第２室Ｒ２に流入する（Ｑ１ｏｖ＝Ｑ１ｉｎ−ｑ２）。そして、第１室Ｒ１から第２室Ｒ２にオーバーフロー水が流入し、第２貯留部Ｓ２に貯留する。従って、この状態が発生している状態では、水検知手段ｓから水検知出力が得られる（表１の状態３）。
同図には、第１流出口Ｏ１に異物５６が詰まっていない状態を示している。この状態に対して第１流出口Ｏ１に異物５６が詰まると、第１流入口Ｅ１ｄへ流入する水は、そのまま第１室Ｒ１から第２室Ｒ２にオーバーフローするオーバーフロー水となる（Ｑ１ｏｖ＝Ｑ１ｉｎ）。従って、この状態では、第２貯留部Ｓ２に早急に水が貯留することとなり、水検知手段ｓの水検知が早急に行われる。
このように逃し弁８に異常が発生している状態では、第１流出口Ｏ１の開放、閉塞に拘わらず、水検知手段ｓによる水検知が起こる。結果、メンテナンス作業に移ることとなる。
【００８９】
以上が、右側の第１流入口Ｅ１ｄに逃し弁８から水が流入する場合の状態である。
左側の第１流入口Ｅ１ｇに膨張タンク１０から水が流入する場合も、図２で説明したものと同様な状態となる。
図３（ａ）は図２（ａ）に対応した排水状態であり、正常状態で膨張タンク１０からの余剰水が液滴となって流入する状態を示し、図３（ｂ）に図２（ｃ）に対応した異常状態での排水状態を示した。膨張タンク１０側に異常がある状態の例としては、膨張タンク１０に備えられる補給水制御弁１５が故障した場合、膨張タンク１０が設けられる湯（熱媒体）の循環路Ｌ０，Ｌ４ｇに備えられる熱交換器５，１２が破損した場合等が挙げられる。
水検知手段ｓから得られる水検知出力は、先に説明した右側の第１流入口Ｅ１ｄに逃し弁８から逃し水が流入する場合と変わるところはない（表１の状態４、状態５、状態６）。
従って、水検知手段ｓから水検知出力によりメンテナンス作業に移ることとなる。
【００９０】
図４は、後述する逆流防止弁１４に異常が発生している異常状態での排水状態を示している。この逆流防止弁１４の正常状態では、ほぼ水が第２流入口Ｅ２から流入することはなく、逆流防止弁１４の異常時に水が第２流入口Ｅ２に流入する（流入水量Ｑ２ｉｎ）。正常状態においては、ほぼ第２貯留部Ｓ２に水が貯留されることはなく、逆流防止弁１４に異常が発生する異常状態において第２流入口Ｅ２から水が流入し、第２貯留部Ｓ２に貯留する。結果、第２オーバーフロー部ＯＦ２から第２流出口Ｏ２にオーバーフローして外部に流出する（ｑ＝Ｑ２ｏｕｔ＝Ｑ２ｉｎ）。
この異常状態が発生している状態でも、水検知手段ｓから水検知出力が得られることとなる（表１の状態７、状態８）。
従って、水検知手段ｓから水検知出力によりメンテナンス作業に移ることとなる。
【００９１】
本発明に係る排水設備５０の基本的な働きは以上の通りであるが、図１に示す判定器Ｊ内に備えられる各判定手段ｍ１，ｍ２の機能は以下のとおりである。この判定は、表１に示した判定（運転継続・メンテ要）に対応している。
【００９２】
正常状態判定手段
正常状態判定手段ｍ１は、水検知手段ｓが水を検知しない場合（図２（ａ）（ｂ），図３（ａ）参照）に、第１流入口Ｅ１に繋がる流入元Ｓから第１所定量ｑ１以上の水の流入がなく、第２流入口Ｅ２に繋がる流入元Ｓからの水の流入もない正常状態にあると判定する。
ただし、この正常状態には、第１流出口Ｏ１が閉塞している状態で、第１流入口Ｅ１に第２所定量ｑ２以下の水が流入する状態が含まれる（図２（ｂ）参照）。
【００９３】
異常状態判定手段
異常状態判定手段ｍ２は、水検知手段ｓが水を検知する場合（図２（ｃ），図３（ｂ），図４参照）のみで異常状態が生じていると判定する。
【００９４】
この異常状態には、第１流出口Ｏ１の開放・閉塞に拘わらず、第１流入口Ｅ１から第１所定量ｑ１を超える水が流入する状態が含まれる（図２（ｃ），図３（ｂ）参照）。
第１流出口Ｏ１が閉塞している場合では、第１流入口Ｅ１から第２所定量ｑ２を超える水が流入すると、この量の水が全てオーバーフロー水となり順次第２貯留部Ｓ２に水が溜まるため、この状態は検知される（図示省略）。
【００９５】
第２流入口Ｅ２に繋がる流入元Ｓに当該第２流入口Ｅ２に水を流入させる異常が発生している場合は当然に含まれる。
【００９６】
このようにして、本発明に係る排水設備５０では判定器Ｊを備えることで、流入元Ｓの状態を判定して、システム側での適切な対処を促すことができる。
【００９７】
これまでの説明では、異常が発生し、第２貯留部Ｓ２に水が貯留した後の処理に関しては説明しなかったが、例えば、第２貯留部Ｓ２に水が貯留した場合は判定器Ｊの出力として使用者に異常が報知されるため、排水設備５０全体を付属の機器から取り外して第２貯留部Ｓ２から水を放出してもよいし、第２貯留部Ｓ２に別途排水具（図示省略）を設けておいてもよい。さらに、流出口（特に第１流出口Ｏ１）の閉塞確認、閉塞している場合はその除去を行う。
【００９８】
以上が本発明に係る排水設備５０の説明である。
以下、この排水設備５０を備える貯湯式温水システム１００に関して、図５、図６を参照しながら説明する。これらの図には、本発明に係る貯湯式温水システム１００全体の構成を示した。
図５には、排熱回収用の循環路Ｌ０、給水路Ｌ１ｇ，Ｌ１ｄ，Ｌ１ｈ、温水生成のための循環路Ｌ２、給湯路Ｌ３、温水利用のための循環路Ｌ４ｇ，Ｌ４ｄ、接続路Ｌ５をそれぞれ区分けして示した。図６には、温水生成のための循環路Ｌ２及び温水利用のための循環路Ｌ４ｇ，Ｌ４ｄを示すとともに、循環路Ｌ０，Ｌ４ｇに設けられる各膨張タンク１０への給水路Ｌ１ｈを区分けして示している。
【００９９】
貯湯式温水システム１００は、熱源機１から供給される熱により給水を加熱して湯を得るとともに、生成される湯を貯留する貯湯タンク２を備え、この貯湯タンク２から払い出される湯を利用するシステムとして構成されている。
ここで熱源機１は排熱を利用可能な機器であればよく、例えばガスエンジン、燃料電池等を挙げることができる。
さらに、湯の利用形態としては、給湯（浴槽３への湯張りを含む）、浴槽３内の湯の追焚き、さらには暖房用の室内熱交換器４の熱源としての利用がある。図５，図６は、これら３者の利用形態全てを示している。室内熱交換器４を介する暖房には、高温水を室内熱交換器４に供給する高温暖房に加え、低温水を供給する低温暖房を行う構成もあるが、本例では単に暖房用の湯を一系統で供給する構成を示した。
【０１００】
以下、順に説明する。
〔温水生成〕
図５に、給水路Ｌ１ｇ，Ｌ１ｄ及び循環路Ｌ２を示した。循環路Ｌ２には排熱熱交換器５及び貯湯タンク２が備えられており、この循環路Ｌ２から温水を得る温水路Ｌ２’が分岐している。また、同図には、給水路Ｌ１ｄから水及び温水路Ｌ２’から湯の供給を受けて混合して所定温度の湯を供給する給湯路Ｌ３を示している。さらに、熱源機１からの排熱を回収する排熱回収用の循環路Ｌ０も示した。
【０１０１】
熱源機からの熱を利用した温水生成
同図左に示すように、熱源機１と排熱熱交換器５との間には排熱回収のための排熱回収用の循環路Ｌ０が備えられるとともに、この排熱熱交換器５の受熱側熱交換部（二次側熱交換部）が、貯湯タンク２内の下部に貯められる湯水或は減圧弁６により減圧供給される低温水が供給される温水生成のための循環路Ｌ２の一部となっている。そして、この排熱熱交換器５で生成される湯が貯湯タンク２の上部に貯湯可能とされるとともに、温水路Ｌ２’を介して混合弁７ａに供給可能とされている。
従って、給水路Ｌ１ｇを介して温水生成用の循環路Ｌ２及び貯湯タンク２に給水が可能とされるとともに、熱源機１からの熱回収を行いながら生成される湯を貯湯タンク２に貯湯可能な構成とされている。
さらに、循環路Ｌ２の排熱熱交換器５より循環下手側、貯湯タンク２への流入側より上流側において、循環路Ｌ２内の湯を循環路Ｌ２から取り出して加熱可能な補助熱源機Ｃを備えて、必要に応じて循環路Ｌ２内の湯水を加熱することができるようになっている。
【０１０２】
この構成において、給水路Ｌ１ｇの減圧弁６と蓄熱切替弁７との間に逃し弁８が備えられ、温水生成のための循環路Ｌ２の三方弁９と循環ポンプＰとの間に逃し弁８が備えられている。これら逃し弁８，８からの逃し水が、排水設備５０の右側の第１流入口Ｅ１ｄに流入する。先に〔発明が解決しようとする課題〕で説明したダイヤフラム（図示省略）に破損が発生する逃し弁はこの弁８である。
【０１０３】
一方、排熱回収のための排熱回収用の循環路Ｌ０には膨張タンク１０が備えられる。この膨張タンク１０には余剰水を排出するためのオーバーフロー口１０ａが設けられるが、このオーバーフロー口１０ａは、排水設備５０の左側の第１流入口Ｅ１ｇに繋げられている。
膨張タンク１０から排出される余剰水に関しては、後に温水利用の循環路Ｌ４ｄに備えられる膨張タンク１０の説明とともに図６で説明する。
【０１０４】
熱利用
熱利用の形態として、給湯（浴槽３への湯張りを含む）、浴槽３内の湯の追焚き、さらには室内熱交換器４が用意されている。以下順に説明する。
【０１０５】
給湯
同図上側に示すように、基端側で循環路Ｌ２に繋がる温水路Ｌ２’は混合弁７ａに接続され、この混合弁７ａで給水路Ｌ１ｄから水を受けて所定の温度の湯が生成され、給湯路Ｌ３を介して給湯栓１１より給湯可能とされている。
【０１０６】
暖房・浴槽水追焚き・湯張り
循環路Ｌ２から分岐して、当該循環路Ｌ２から一次側熱源としての温水を受ける暖房熱交換器１２及びふろ熱交換器１３が備えられている。これら暖房熱交換器１２及びふろ熱交換器１３からの熱交換後の一次水は先に説明した排熱熱交換器５に戻る構成が採用されている。
【０１０７】
暖房熱交換器１２の二次側は暖房対象の各室に設置される室内熱交換器４に接続され暖房の用に供される。そして、この温水利用の循環路Ｌ４ｇに設けられる暖房ポンプＰの暖房戻り側に膨張タンク１０が備えられ、この膨張タンク１０からの余剰水もオーバーフロー口１０ａを経て排水設備５０の第１流入口Ｅ１ｇに流入する構成が採用されている。
【０１０８】
一方、ふろ熱交換器１３には、浴槽３からの浴槽水が戻る及び熱交換後の浴槽水が往く浴槽水循環路Ｌ４ｄが接続され（長破線）、ふろ浴槽水の追焚きが可能となっている。また、この浴槽水循環路Ｌ４ｄと先に説明した給湯路Ｌ３との間には、ふろポンプＰの上流側（ふろ戻り側）に繋がる接続路Ｌ５（短破線）が設けられ、この接続路Ｌ５を介して給湯路Ｌ３から給湯が可能な構成が採用されている。結果、浴槽３内への給湯も可能となっている。この接続路Ｌ５及び浴槽水循環路Ｌ４ｄの一部が本発明にいう「湯張り路」を構成する。
【０１０９】
接続路Ｌ５には給湯路Ｌ３側への逆流を防止するための逆流防止弁１４が設けられている。この逆流防止弁１４もオーバーフロー構造が採用されており、この逆流防止弁１４からの余剰水は、排水設備５０の第２流入口Ｅ２に流入する構成が採用されている。
【０１１０】
膨張タンクから余剰水
本発明に係る貯湯式温水システム１００では、排熱回収のための循環路Ｌ０と暖房のための循環路Ｌ４ｇとに、それぞれ膨張タンク１０が設けられている。これら膨張タンク１０には、それぞれ補給水電磁弁１５（先に説明した補給水制御弁）が設けられ、膨張タンク１０内の水量が所定量より減った場合に、給水路Ｌ１ｈを介して、減圧弁６を介することなく給水圧の給水を受けることとされている。
【０１１１】
これら膨張タンク１０の余剰水は、本発明に係る排水設備５０の第１流入口Ｅ１ｇに流入する構造が採用されているため、例えば、この補給水電磁弁１５がごみ噛み等を発生し、開故障を起こした場合に、第１異常状態として故障判定されることとなる。
さらに、これら膨張タンク１０が配置される循環路Ｌ０，Ｌ４ｇに設けられる熱交換器５，１２の破損による熱媒体としての水が不測に循環路Ｌ０，Ｌ４に流入した場合も同様に故障判定される。
【０１１２】
以上が、本発明に係る貯湯式温水システム１００の構成及び作動である。
以下、これまで説明してきた第１所定量ｑ１、第２所定量ｑ２に関して、以上説明した本実施形態に即して説明する。
第１所定量ｑ１は、第１流入口Ｅ１より流入する水の量との関係で設定されることとなる。
以下の説明では、理解を容易とするために、第１流入口Ｅ１へ流入する水が逃し弁８からの水であり、異常がこの逃し弁８に備えられるダイヤフラム（図外）からの漏水であるとして説明する。従って、第１流入口Ｅ１には、正常状態で発生する逃げ水の量（「ポタポタ水量」）、或は逃し弁８に備えられるダイヤフラム（図示省略）が漏水した場合に想定される水量（「ダイヤフラム漏水量」）が流入してくる。発明者らの検討では、前者の「ポタポタ水量」は１１ｃｃ/ｍｉｎ程度であり、後者の「ダイヤフラム漏水量」は２〜８リットル/ｍｉｎ程度であった。
【０１１３】
本発明に係る排水設備５０では第１流出口Ｏ１における閉塞を検知することも考慮して、流入元Ｓが正常状態では、前記「ポタポタ水量」が第１流出口Ｏ１のみから流出する（図２（ａ））、或は第１オーバーフロー部ＯＦ１を越えて第２流出口Ｏ２のみから流出する構成とする（図２（ｂ））。ここで「ポタポタ水量」を考慮すると、閉塞が発生していない前者の状態では「ポタポタ水量」が第１流入口Ｅ１に流入する場合、常に第１流出口Ｏ１より外部に流出させる必要があり（第一の規制条件）、閉塞が発生している後者の状態では第１オーバーフロー部ＯＦ１を「ポタポタ水量」が乗り越えたとしても、この水の量では、第２貯留部Ｓ２に貯留することなく常に第２流出口Ｏ２から流出することが必要となる（第二の規制条件）。
【０１１４】
一方、ダイヤフラムが漏水している場合は、この漏水が第１流入口Ｅ１から第１室Ｒ１に流入した場合に、第１流出口Ｏ１からの所定量の水が流出する状態で、第１貯留部Ｓ１に貯留し、第１オーバーフロー部ＯＦ１を越えて第２貯留部Ｓ２にも貯留する（図２（ｃ））ことが必要となる（第三の規制条件）。
【０１１５】
先に説明した〔発明が解決すべき課題〕に示したように、今般、新たな排水設備５０が必要とされる理由は、逃し弁８の異常検知であるため、このような異常が発生した場合に第１流入口Ｅ１へ流入する水の量を第１所定量ｑ１とする。一方、この第１所定量ｑ１よりかなり少なく（半分未満）、これまで説明してきた比較的少量の水の量である「ポタポタ水量」の最大値を超える水の量を第２所定量ｑ２とする。
【０１１６】
このように、第１所定量ｑ１、第２所定量ｑ２を設定すると、
先に説明した第一の規制条件から、第１流出口Ｏ１が満たすべき条件は、第１流入口Ｅ１，第１貯留部Ｓ１を介して水の流入がある場合に、第２所定量ｑ２以下の水を流出させ、水の量が第２所定量を超える場合に第１貯留部Ｓ１に水を貯留する流量制限型流出口として構成することとなる。
【０１１７】
次に、第二の規制条件から、第１オーバーフロー部ＯＦ１を越えるオーバーフロー水の量が第２所定量ｑ２以下である場合には、第２室Ｒ２から第２流出口Ｏ２を介してオーバーフロー水が外部に直接排出される必要があり、第２所定量ｑ２を超える場合には、オーバーフロー水が第２貯留部Ｓ２の貯留される構成とすることとなる。この状態は、第三の規制条件である、「第１流入口Ｅ１から流入する水の量が第１所定量ｑ１以上である場合に、第２貯留部Ｓ２にオーバーフロー水が貯留される必要がある」を満たす。
【０１１８】
従って、第１流入口Ｅ１への水の流入元Ｓが逃し弁８である場合は、第１所定量ｑ１は、この逃し弁８に異常が発生し当該異常状態にある逃し弁８から第１流入口Ｅ１に流入することが想定される水量（例えば２〜８リットル/ｍｉｎ）とすることができる。また、第２所定量ｑ２は、案内板５３により規定される第１流出口Ｏ１の径と第１貯留部Ｓ１の大きさ（高さ、容積）により様々に設定することとなるが、第１所定量ｑ１の半分未満、例えば１００〜５００ｃｃ／ｍｉｎ程度とできる。
【０１１９】
一方、給水路Ｌ１ｈより水の補給を受ける膨張タンク１０からの余剰水が第１流入口Ｅ１に流入する構成の場合、第１所定量ｑ１を、例えば、膨張タンク１０に備えられる補給水制御弁１５に異常が発生し異常状態にある膨張タンク１０から第１流入口Ｅ１に流入することが想定される水量とすることができる。
【０１２０】
図５、図６に示す貯湯式温水システム１００の場合は、上述の逃し弁８及び膨張タンク１０から第１流入口Ｅ１（Ｅ１ｇ，Ｅ１ｄ）に水が流入するが、この構成の場合は、膨張タンク１０側で要求される検知対象も考慮する。
【０１２１】
〔別実施形態〕
（１）上記の実施形態では、第１流入口Ｅ１とともに第２流入口Ｅ２を備えた構成に関して説明したが、第１流入口Ｅ１の水を流入する流入元Ｓの正常・異常さらには第１流出口Ｏ１の閉塞を区別して検知するためには、第２流入口Ｅ２を備えない排水設備としてもよい。
図７に、この構成の排水設備５００で、且つ第１流入口Ｅ１が単一である場合の構成例を示した。この例の場合、排水設備５００には特定単一の流入元Ｓからの水が流入し、第１流出口Ｏ１が閉塞していない状態では、流入量が比較的少量の第２所定量ｑ２以下の場合は第１流出口Ｏ１から流出させ、比較的多量の第１所定量ｑ１以上の場合に、水検知手段ｓで水を検知することとなる。第２所定量ｑ２から第１所定量ｑ１までの水が流入する状態に関しては、「流出制限量」と「直接流出上限量」とを上記構成に従って同一とすると、第１流入口Ｅ１から流入する水の量が第２所定量ｑ２の二倍以下の場合に、第２貯留部Ｓ２への貯留が発生することはないため、水検知はされない。二倍を超えた場合に水検知手段ｓが水を検知することとなる。
一方、第１流出口Ｏ１が閉塞している状態では、第１流入口Ｅ１から流入する水の量が第１所定量ｑ１以上である状態では無論、オーバーフロー水の量が第２所定量ｑ２を超えると水検知手段ｓで水を検知することができる。
【０１２２】
（２）「直接流出上限量」に関しては、「流出制限量（第２所定量）」以上で、第１所定量未満の量とすることができる。
流入元に発生する異常については、正常状態に対応する「ポタポタ水量」から順次時間の経過にしたがって排水設備に流入する水量が増加する場合もある。この場合、「流出制限量（第２所定量）」以上として「直接流出上限量」を弾力的に設定することが好ましい。
【０１２３】
（３）第１流入口Ｅ１として、複数の第１流入口Ｅ１を備えた構成に関して説明したが、図７に示したように、第１流入口Ｅ１に水を流入する流入元Ｓとして、特定の流入元を問題とする場合は、単独の第１流入口Ｅ１を備える排水設備を構成しておいてもよい。
この単独の第１流入口Ｅ１を備える構成において、第２流入口Ｅ２を備える構成を採用することもできる。
【０１２４】
（４）上記の実施の形態においては、流入元Ｓとして、逃し弁８、膨張タンク１０及び逆流防止弁１４の全てに関して、それら弁８，１０，１４からの水を排水設備５０の所定位置に設けた第１流入口Ｅ１、第２流入口Ｅ２に流入させる構成としたが、各弁からの水の流入部位組み合わせに関しては、それら弁の正常状態の流出水量及び異常状態の流出水量に対応して適宜組み合わせ変更可能である。
【０１２５】
（５）また、第１流入口Ｅ１に水を流入させる弁としては、給水路に設けられた減圧弁を介して給水を直接貯湯タンクに供給する構成の貯湯式温水システムであって、当該貯湯タンクの給水側であるタンク直下に逃し弁を設ける構成のシステムにおいて、この逃し弁からの水を本発明に係る排水設備の第１流入口に流入させる構成としてもよい。
【０１２６】
（６）上記の実施の形態では、第１貯留部Ｓ１から第２流出口Ｏ２へのオーバーフローを上昇壁部５２ｕの上端から第２室Ｒ２側に下降して形成される案内板５５を介する構成としたが、第１貯留部Ｓ１と第２流出口Ｏ２との間に設ける上昇壁部で、前記第１流出口Ｏ１の入り口部位より高い位置に比較的小径の孔を設けておき、第２所定量以下の流量がこの孔を介して第２流出口Ｏ２に流入する構成としてもよい。この構成を採用しておけば、第１流出口Ｏ１が閉塞した場合で「ポタポタ流量」の流入があったとしても第２貯留部Ｓ２への貯留が発生しない構造とできる。この構成の場合、上昇壁部の上端はこの位置まで上昇してきた水面から水が常に第２貯留部Ｓ２にオーバーフローするように構成しておき、この第２貯留部Ｓ２から第２流出口Ｏ２へのオーバーフロー部を別途設けておけばよい。
【０１２７】
（７）これまで説明してきた実施形態では、第１流入口Ｅ１を備えた第１室Ｒ１に第１貯留部Ｓ１及び第１流出口Ｏ１を備え、第１室Ｒ１と第２室Ｒ２との間に第１オーバーフロー部ＯＦ１（室間移流部）を備え、この第１オーバーフロー部ＯＦ１をオーバーフローする（第１室Ｒ１から室間移流部を越えて第２室Ｒ２に流入する）オーバーフロー水（第１室Ｒ１から第２室Ｒ２へ流入するフロー水）が、第２流出口Ｏ２から直接流出する状態と、第２貯留部Ｓ２に貯留する状態とが発生する構造に関して説明した。
しかしながら、段落〔００８４〕に示した表１からも判明するように、システム運転判定に係る「運転継続」「メンテ要」は、第１流出口Ｏ１の開放、閉塞に関係なく行うことが可能である。即ち、表１に示した状態１、２（状態４、５）を一括りとし、状態３（状態６）をそれら状態に対する異常状態として異常状態判定手段ｍ２による判定を行うことも可能である。
【０１２８】
この状態は排水設備の構造としては、第１流出口Ｏ１を備えない構造でも、本発明の目的を達成することができることを意味する。
図８（ａ）（ｂ）に、この構造の本発明の更なる別実施形態を示した。
さらに、図９（ａ）（ｂ）に、図８（ａ）に示した排水設備５０１の図２（ｂ）（ｃ）に対応する状態を示した。
これらの実施形態にあっては、これまで説明してきたのと同様に「直接流出上限量」を設定できる。
【０１２９】
図８（ａ）に示す別実施形態の排水設備５０１は第１室Ｒ１から第１貯留部Ｓ１、第１流出口Ｏ１の両方を除いた例であり、図８（ｂ）に示す別実施形態の排水設備５０２は第１流出口Ｏ１のみを除いた例である。共に、第１室Ｒ１、第２室Ｒ２（第２流出口Ｏ２、第２貯留部Ｓ２を有する）を備え、第２貯留部Ｓ２に水検知手段ｓを備え、第２貯留部Ｓ２に貯留される水を検知する。
ここで、図８（ａ）に示す実施形態は最も簡単な構成例であり、この例において落下水が跳ねる等の理由から第２貯留部Ｓ２に水が入ることを問題とする場合は、図８（ｂ）の構成を採用することもできる。
【０１３０】
そして表１に対応する表は下記表２となる。
表２では、第１貯留部Ｓ１、第１流出口Ｏ１の記載を外し、状態番号ｎの括弧（）内に表１で対応する状態番号を記載した。
【０１３１】
【表２】
0006640588.tif 000003
【０１３２】
図９（ａ），（ｂ）に、図２（ｂ）（ｃ）に対応する状態を示した。この実施形態においては、第１貯留部Ｓ１及び第１流出口Ｏ１が存在しないため、第１室Ｒ１に流入する水が、そのまま第２室Ｒ２に流入する。そして、そのフロー水の量と本願の「直接流出上限量」との関係に従って、水は第２流出口Ｏ２から直接流出したり、第２貯留部Ｓ２に貯留し、第２オーバーフロー部ＯＦ２をオーバーフローして流出する。
水検知手段ｓは第２貯留部Ｓ２に水が貯留する場合のみ検知する。
【０１３３】
これら別実施形態においても、判定器Ｊを設ける場合は、正常状態判定手段ｍ１及び異常状態判定手段ｍ２を設ける点で変わりはない。
ただし、先の例で説明した閉塞はこの実施形態では第１流出口Ｏ１が存在しないため起こり得ない。
【０１３４】
正常状態判定手段
正常状態判定手段ｍ１は、水検知手段ｓが水を検知しない場合（図９（ａ）参照）に、第１流入口Ｅ１に繋がる流入元Ｓから直接流出制限量を超える水の流入がなく、第２流入口Ｅ２に繋がる流入元Ｓからの水の流入もない正常状態にあると判定する。
【０１３５】
異常状態判定手段
異常状態判定手段ｍ２は、水検知手段ｓが水を検知する場合（図９（ｂ））のみで異常状態が生じていると判定する。
【０１３６】
この異常状態には、第１流入口Ｅ１から直接流出制限量を超える水が流入する状態が含まれる（図９（ｂ）参照）。また、第２流入口Ｅ２に繋がる流入元Ｓに当該第２流入口Ｅ２に水を流入させる異常が発生している場合は当然に含まれる。
【０１３７】
このようにして、この別実施形態に係る排水設備５０１、５０２では判定器Ｊを備えることで、流入元Ｓの状態を判定して、システム側での適切な対処を促すことができる。
【０１３８】
この実施形態では、異常状態判定手段ｍ１により異常状態が判定された場合に、第１流入口Ｅ１若しくは第２流入口Ｅ２に繋がる流入元の状態を確認し、必要な処理を行えばよい。
【符号の説明】
【０１３９】
１          熱源機
２          貯湯タンク
８          逃し弁（流入元）
１０        膨張タンク（流入元）
１４        逆流防止弁（流入元）
５０        排水設備
１００      貯湯式温水システム
５００      排水設備
５０１      排水設備
５０２      排水設備
Ｅ１        第１流入口
Ｅ２        第２流入口
Ｊ          判定器
Ｏ１        第１流出口
Ｏ２        第２流出口
ＯＦ１      第１オーバーフロー部（室間移流部）
ＯＦ２      第２オーバーフロー部
Ｒ１        第１室
Ｒ２        第２室
Ｓ          流入元
Ｓ１        第１貯留部
Ｓ２        第２貯留部
ｍ１        正常状態判定手段
ｍ２        異常状態判定手段
ｑ１        第１所定量（第１所定流量）
ｑ２        第２所定量（第２所定流量）
ｓ          水検知手段
【図１】
0006640588.tif 000004
【図２】
0006640588.tif 000005
【図３】
0006640588.tif 000006
【図４】
0006640588.tif 000007
【図５】
0006640588.tif 000008
【図６】
0006640588.tif 000009
【図７】
0006640588.tif 000010
【図８】
0006640588.tif 000011
【図９】
0006640588.tif 000012
【図１０】
0006640588.tif 000013